(57)【要約】【課題】止めビスなどに干渉せずにケーブルを円滑にプッシュ・プル可能にする。【解決手段】底壁１３にケーブル通し穴１８を開口し、一対のケーブル・ガイド・リブ２０、２０をそのケーブル通し穴１８の開口縁１９において互いに向い合ってその底壁１３の裏面１４に突き出し、そして支持箇所に開口されて固定的に埋め込まれるパン形埋込みレバー・ケース１１と、その一対のケーブル・ガイド・リブ２０、２０に対応してレバー裏面２２に所定の間隔で互いに向い合って突き出され、そして、間にケーブル３０を通してケーブル・エンド３１を止める一対のケーブル止めリブ２３を有し、そして、そのレバー・ケース１１の開口１６に片寄った状態でそのレバー・ケース１１の両側壁１５、１５間に揺動可能に取り付けられてリターン・スプリングに抗してそのレバー・ケース１１のその開口１６から外側に引き出され、また、そのリターン・スプリングでその外側からそのレバー・ケース１１のその開口１６に戻される操作レバーとを含む。【選択図】　　　図３
2004058759.tif 000002
【特許請求の範囲】
【請求項１】
底壁にケーブル通し穴を開口し、一対のケーブル・ガイド・リブをそのケーブル通し穴の開口縁において互いに向い合ってその底壁の裏面に突き出し、そして支持箇所に開口されて固定的に埋め込まれるパン形埋込みレバー・ケースと、その一対のケーブル・ガイド・リブに対応してレバー裏面に所定の間隔で互いに向い合って突き出され、そして、間にケーブルを通してケーブル・エンドを止める一対のケーブル止めリブを有し、そして、そのレバー・ケースの開口に片寄った状態でそのレバー・ケースの両側壁間に揺動可能に取り付けられてリターン・スプリングに抗してそのレバー・ケースのその開口から外側に引き出され、また、そのリターン・スプリングでその外側からそのレバー・ケースのその開口に戻される操作レバーとを含むケーブル操作器。
【発明の詳細な説明】
【０００１】
【発明の関係する分野】
この発明は、自動車のシート・ロックや他のロック装置の解除に活用できるところのケーブル操作器に関する。
【０００２】
【背景技術】
自動車シートでは、シート・バックのロックは、ケーブルに連結された解除レバーで操作されるのが一般である。その解除レバーは、シート・バックの背裏面に配置されるので、そのケーブルは長くなってレバー・ケースの止めビスなどに干渉される不具合があった。
【０００３】
【発明の課題】
この発明の課題は、止めビスなどに干渉せずにケーブルを円滑にプッシュ・プル可能にするところのケーブル操作器の提供にある。
【０００４】
【課題に相応する手段およびそれの作用】
この発明は、底壁にケーブル通し穴を開口し、一対のケーブル・ガイド・リブをそのケーブル通し穴の開口縁において互いに向い合ってその底壁の裏面に突き出し、そして支持箇所に開口されて固定的に埋め込まれるパン形埋込みレバー・ケースと、その一対のケーブル・ガイド・リブに対応してレバー裏面に所定の間隔で互いに向い合って突き出され、そして、間にケーブルを通してケーブル・エンドを止める一対のケーブル止めリブを有し、そして、そのレバー・ケースの開口に片寄った状態でそのレバー・ケースの両側壁間に揺動可能に取り付けられてリターン・スプリングに抗してそのレバー・ケースのその開口から外側に引き出され、また、そのリターン・スプリングでその外側からそのレバー・ケースのその開口に戻される操作レバーとを含み、そして、その一対のケーブル・ガイド・リブにそのケーブルを案内させてその操作レバーでそのケーブルを円滑にプッシュ・プル可能にする。
【０００５】
【具体例の説明】
以下、特定されて図示された具体例に基づいて、この発明のケーブル操作器を説明するに、図１ないし図３は、自動車の折りたたみシートのシート・ロックの解除に活用されるところのこの発明のケーブル操作器の具体例１０を示し、そのケーブル操作器１０は、パン形埋込みレバー・ケース１１と、操作レバー１２とで組み立てられ、そして、埋込み状態でシート・バック（図示せず）の背裏面に取り付けられてケーブル３０でそのシート・ロックに連結される。
【０００６】
そのケーブル操作器１０では、そのパン形埋込みレバー・ケース１１が底壁１３にケーブル通し穴１８を開口し、一対のケーブル・ガイド・リブ２０、２０をそのケーブル通し穴１８の開口縁１９において互いに向い合ってその底壁１３の裏面１４に突き出し、そして、そのシート・バックのその背裏面（支持箇所）に開口されてそのシート・バックに固定的に埋め込まれ、また、その操作レバー１２が、その一対のケーブル・ガイド・リブ２０、２０に対応してレバー裏面２２に所定の間隔で互いに向い合って突き出され、そして、間にそのケーブル３０を通してケーブル・エンド３１を止める一対のケーブル止めリブ２３、２３を有し、そして、そのレバー・ケース１１の開口１６に片寄った状態でそのレバー・ケース１１の両側壁１５、１５間に揺動可能に取り付けられてリターン・スプリング（図示せず）に抗してそのレバー・ケース１１のその開口１６から外側に引き出され、また、そのリターン・スプリングでその外側からそのレバー・ケース１１のその開口１６に戻される。
【０００７】
そのレバー・ケース１１は、硬質樹脂からパン形に成形され、そして、その開口１６の外周に縁取りフランジ１７を備え、また、そのケーブル通し穴１８を長穴にあけている。さらに、そのレバー・ケースは、そのケーブル通し穴１８の両側でその底壁１３にビス穴２１、２１をあけている。
【０００８】
その操作レバー１２は、硬質樹脂から成形され、そして、そのレバー・ケース１１のその両側壁１５、１５間に渡されてコッター止めされたシャフト２４に回転可能に支持されてそのリターン・スプリングでそのレバー・ケース１１のその開口１６に戻される。
【０００９】
そのリターン・スプリングは、コイル・スプリングでそのシャフト２４にはめ合わせられて支持され、そして、一端をそのレバー・ケース１１のその底壁１３に、他端をその操作レバー１２のその一対のケーブル止め２３、２３にそれぞれ止めている。
【００１０】
したがって、このケーブル操作器１０では、そのケーブル３０は、その一対のケーブル・ガイド・リブ２０、２０に案内されてそのレバー・ケース１１内にたるまず、そして、止めビスに干渉されずにその操作レバー１２で円滑にプッシュ・プルされ、そして、そのシート・ロックを解除する。
【００１１】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ　ｃｏｍｍｅｎｓｕｒａｔｅ　ｗｉｔｈ）、そして、その発明の成立に必須である。
【００１２】
【発明の便益】
上述から理解されるように、この発明のケーブル操作器は、底壁にケーブル通し穴を開口し、一対のケーブル・ガイド・リブをそのケーブル通し穴の開口縁において互いに向い合ってその底壁の裏面に突き出し、そして支持箇所に開口されて固定的に埋め込まれるパン形埋込みレバー・ケースと、その一対のケーブル・ガイド・リブに対応してレバー裏面に所定の間隔で互いに向い合って突き出され、そして、間にケーブルを通してケーブル・エンドを止める一対のケーブル止めリブを有し、そして、そのレバー・ケースの開口に片寄った状態でそのレバー・ケースの両側壁間に揺動可能に取り付けられてリターン・スプリングに抗してそのレバー・ケースのその開口から外側に引き出され、また、そのリターン・スプリングでその外側からそのレバー・ケースのその開口に戻される操作レバーとを含むので、この発明のケーブル操作器では、そのケーブルがその一対のケーブル・ガイド・リブに案内されてそのレバー・ケース内にたるまず、そして、止めビスなどに干渉せずにその操作レバーで円滑にプルシュ・プルされ、そして、例えば、自動車シートのシート・ロックが円滑に施錠および解除され、その結果、自動車シートにとって非常に有用で実用的である。
【図面の簡単な説明】
【図１】自動車の折りたたみシートのシート・ロックの解除に活用されるところのこの発明のケーブル操作器の具体例を示した正面図である。
【図２】そのケーブル操作器を示した裏面図である。
【図３】そのケーブル操作器を示した側面図である。
【符号の説明】
１１　パン形埋込みレバー・ケース
１２　操作レバー
１３　底壁
１４　裏面
１５　側壁
１６　開口
１８　ケーブル通し穴
１９　開口縁
２０　ケーブル・ガイド・リブ
２２　レバー裏面
２３　ケーブル止めリブ
３０　ケーブル
３１　ケーブル・エンド
【図１】
2004058759.tif 000003
【図２】
2004058759.tif 000004
【図３】
2004058759.tif 000005